(57)【要約】      （修正有）【課題】移動通信端末に通信網を提供する通信事業者以外の事業者であっても構築可能なストレージシステムを提供する。【解決手段】ストレージシステム１０００は、移動通信端末２００、３００とネットワーク４００を介して通信接続する通信接続部１３０と、データファイル記憶部１１１に記憶されたデータファイルを、通信接続された移動通信端末へ送信することを要求する送信要求を受け付ける要求受付部１２１と、当該移動通信端末の個体識別情報である端末特定情報を取得し、取得した端末特定情報に基づいて当該移動通信端末の機種を特定する機種特定部１２２と、送信要求により要求されたデータファイルを、機種特定部１２２によって特定された機種が利用可能なデータ形式に変換する形式変換部１２３と、形式変換部１２３によって変換されたデータファイルを、当該移動通信端末に送信する送信部１２４と、を備える。【選択図】図１
2011035811.tif 000002
【特許請求の範囲】
【請求項１】
データファイルを記憶するデータファイル記憶手段と、
移動通信端末と通信接続する通信接続手段と、
前記データファイル記憶手段に記憶された前記データファイルの一部または全部を、前記通信接続手段によって通信接続された前記移動通信端末へ送信することを要求する送信要求を受け付ける要求受付手段と、
前記通信接続手段によって通信接続された前記移動通信端末の個体識別情報である端末特定情報を取得し、取得した前記端末特定情報に基づいて当該移動通信端末の機種を特定する機種特定手段と、
前記データファイル記憶手段に記憶された前記データファイルのうち、前記送信要求により要求された前記データファイルを、前記機種特定手段によって特定された前記機種が利用可能なデータ形式に変換する形式変換手段と、
前記形式変換手段によって変換された前記データファイルを、当該移動通信端末に送信する送信手段と、
を備えることを特徴とするストレージシステム。
【請求項２】
請求項１に記載のストレージシステムであって、
前記データファイル記憶手段は、前記データファイルと、当該データファイルを利用可能な前記移動通信端末の機種を示す機種情報と、を対応付けて記憶し、
更に、前記機種特定手段によって特定された前記機種が、前記送信要求により要求された前記データファイルに対応付けた前記機種情報に含まれるか否かを判定する機種判定手段を備え、
前記機種判定手段によって、前記機種特定手段によって特定された前記機種が、前記送信要求により要求された前記データファイルに対応付けた前記機種情報に含まれると判定されたとき、前記送信手段は、当該データファイルを前記データファイル記憶手段から取得し、取得した前記データファイルを前記移動通信端末に送信することを特徴とするストレージシステム。
【請求項３】
請求項２に記載のストレージシステムであって、
前記データファイル記憶手段は、前記形式変換手段によって変換された前記データファイルと、当該データファイルを利用可能な前記移動通信端末の機種を示す前記機種情報と、を対応付けて記憶することを特徴とするストレージシステム。
【請求項４】
請求項１乃至３いずれかに記載のストレージシステムであって、
前記移動通信端末は携帯電話機であり、かつ前記端末特定情報は前記携帯電話機の製造番号であることを特徴とするストレージシステム。
【請求項５】
請求項４に記載のストレージシステムであって、
前記機種特定手段は、前記通信接続手段によって通信接続された前記携帯電話機の前記製造番号を取得し、取得した前記製造番号に含まれる情報のうち当該携帯電話機の機種を示す情報を読み取り、読み取った前記情報から当該機種を特定することを特徴とするストレージシステム。
【請求項６】
請求項１乃至５いずれかに記載のストレージシステムであって、
前記データファイル記憶手段は、前記データファイルと、当該データファイルの利用が許可されているユーザを示すユーザ情報と、を対応付けて記憶し、
更に、前記通信接続手段によって通信接続された前記移動通信端末のユーザの固有情報であるユーザ固有情報を取得し、取得された前記ユーザ固有情報により特定される前記ユーザが、前記データファイル記憶手段に記憶されている前記ユーザ情報に含まれるか否かを判定するユーザ判定手段を備え、
前記ユーザ判定手段によって、前記ユーザ固有情報により特定される前記ユーザが、前記データファイル記憶手段に記憶されている前記ユーザ情報に含まれると判定されたとき、前記要求受付手段は、当該ユーザ情報に対応する前記データファイルを、当該移動通信端末へ送信することを要求する前記送信要求を受け付けることを特徴とするストレージシステム。
【請求項７】
請求項６に記載のストレージシステムであって、
前記データファイル記憶手段は、前記ユーザ情報が対応づけられた複数のディレクトリのいずれかに前記データファイルを記憶し、
更に、前記ユーザ判定手段によって、前記ユーザ固有情報により特定される前記ユーザが、前記データファイル記憶手段に記憶されている前記ユーザ情報に含まれると判定されたとき、当該ユーザ情報と対応付けられた前記ディレクトリに記憶された前記データファイルの一部または全部を示すディレクトリ情報を、前記通信接続手段によって接続された前記移動通信端末へ送信するデータファイル一覧送信手段を備え、
前記要求受付手段は、前記ディレクトリ情報が示す前記データファイルのうち、当該移動通信端末によって選択された前記データファイルを当該移動通信端末へ送信することを要求する前記送信要求を受け付けることを特徴とするストレージシステム。
【請求項８】
請求項７に記載のストレージシステムであって、
前記データファイル記憶手段は、前記ディレクトリごとに単一または複数の前記ユーザ固有情報を対応付けて記憶することを特徴とするストレージシステム。
【請求項９】
請求項６乃至８いずれかに記載のストレージシステムであって、
前記ユーザ固有情報は、前記移動通信端末に装着されるＳＩＭ（Ｓｕｂｓｃｒｉｂｅｒ  Ｉｄｅｎｔｉｔｙ  Ｍｏｄｕｌｅ）カードの固有番号であり、
かつ前記ユーザ情報は、少なくとも一つの前記ＳＩＭカードの固有番号からなることを特徴とするストレージシステム。
【請求項１０】
移動通信端末と通信接続する通信接続手段と、
ストレージ装置に記憶されたデータファイルの一部または全部を、前記通信接続手段によって通信接続された前記移動通信端末へ送信することを要求する送信要求を、当該移動通信端末から受け付ける要求受付手段と、
前記通信接続手段によって通信接続された前記移動通信端末の個体識別情報である端末特定情報を当該移動通信端末から取得し、取得した前記端末特定情報に基づいて当該移動通信端末の機種を特定する機種特定手段と、
前記ストレージ装置に記憶された前記データファイルのうち、前記送信要求により要求された前記データファイルを前記ストレージ装置から取得し、取得した前記データファイルを前記機種特定手段によって特定された前記機種が利用可能なデータ形式に変換する形式変換手段と、
前記形式変換手段によって変換された前記データファイルを、当該移動通信端末に送信する送信手段と、
を備えることを特徴とするアクセス管理装置。
【請求項１１】
請求項１０に記載のアクセス管理装置であって、
前記データファイルと、当該データファイルを利用可能な前記移動通信端末の機種を示す機種情報と、を対応付けて前記ストレージ装置に記憶させるデータファイル登録手段と、
前記機種特定手段によって特定された前記機種が、前記送信要求により要求された前記データファイルに対応付けた前記機種情報に含まれるか否かを判定する機種判定手段と、を備え、
前記機種判定手段によって、前記機種特定手段によって特定された前記機種が、前記送信要求により要求された前記データファイルに対応付けた前記機種情報に含まれると判定されたとき、前記送信手段は、当該データファイルを前記ストレージ装置から取得し、取得した前記データファイルを前記移動通信端末に送信することを特徴とするアクセス管理装置。
【請求項１２】
請求項１１に記載のアクセス管理装置であって、
前記データファイル登録手段は、前記形式変換手段によって変換された前記データファイルと、当該データファイルを利用可能な前記移動通信端末の機種を示す前記機種情報と、を対応付けて前記ストレージ装置に記憶させることを特徴とするアクセス管理装置。
【請求項１３】
請求項１１または１２に記載のアクセス管理装置であって、
前記データファイル登録手段は、前記ストレージ装置に記憶させる前記データファイルに含まれる情報の一部または全部と、前記機種特定手段によって特定された前記機種と、に基づいて当該データファイルに対応する前記機種情報を得ることを特徴とするアクセス管理装置。
【請求項１４】
請求項１１乃至１３いずれかに記載のアクセス管理装置であって、
前記移動通信端末は携帯電話機であり、かつ前記端末特定情報は前記携帯電話機の製造番号であることを特徴とするアクセス管理装置。
【請求項１５】
請求項１４に記載のアクセス管理装置であって、
前記機種特定手段は、前記通信接続手段によって通信接続された前記携帯電話機の前記製造番号を取得し、取得した前記製造番号に含まれる情報のうち当該携帯電話機の機種を示す情報を読み取り、読み取った前記情報から当該機種を特定することを特徴とするアクセス管理装置。
【請求項１６】
請求項１１乃至１５いずれかに記載のアクセス管理装置であって、
前記データファイル登録手段は、前記データファイルと、当該データファイルの利用が許可されているユーザを示すユーザ情報と、を対応付けて前記ストレージ装置に記憶させ、
前記通信接続手段によって通信接続された前記移動通信端末のユーザの固有情報であるユーザ固有情報を取得し、取得された前記ユーザ固有情報により特定される前記ユーザが、前記ストレージ装置に記憶されている前記ユーザ情報に含まれるか否かを判定するユーザ判定手段を、備え、
前記ユーザ判定手段によって、前記ユーザ固有情報により特定される前記ユーザが、前記ストレージ装置に記憶されている前記ユーザ情報に含まれると判定されたとき、前記要求受付手段は、当該ユーザ情報に対応する前記データファイルを、当該移動通信端末へ送信することを要求する前記送信要求を受け付けることを特徴とするアクセス管理装置。
【請求項１７】
請求項１６に記載のアクセス管理装置であって、
前記データファイル登録手段は、前記ストレージ装置に内包され、前記ユーザ情報が対応づけられた複数のディレクトリのいずれかに前記データファイルを記憶させ、
更に、前記ユーザ判定手段によって、前記ユーザ固有情報により特定される前記ユーザが、前記ストレージ装置に記憶されている前記ユーザ情報に含まれると判定されたとき、当該ユーザ情報と対応付けられた前記ディレクトリに記憶された前記データファイルの一部または全部を示すディレクトリ情報を、前記通信接続手段によって接続された前記移動通信端末へ送信するデータファイル一覧送信手段を備え、
前記要求受付手段は、前記ディレクトリ情報が示す前記データファイルのうち、当該移動通信端末によって選択された前記データファイルを当該移動通信端末へ送信することを要求する前記送信要求を受け付けることを特徴とするアクセス管理装置。
【請求項１８】
請求項１７に記載のアクセス管理装置であって、
前記データファイル登録手段は、前記ディレクトリごとに単一または複数の前記ユーザ固有情報を対応付けて前記ストレージ装置に記憶させることを特徴とするアクセス管理装置。
【請求項１９】
請求項１６乃至１８いずれかに記載のアクセス管理装置であって、
前記ユーザ固有情報は、前記移動通信端末に装着されるＳＩＭ（Ｓｕｂｓｃｒｉｂｅｒ  Ｉｄｅｎｔｉｔｙ  Ｍｏｄｕｌｅ）カードの固有番号であり、
かつ前記ユーザ情報は、少なくとも一つの前記ＳＩＭカードの固有番号からなることを特徴とするアクセス管理装置。
【請求項２０】
移動通信端末と通信接続する通信接続ステップと、
ストレージ装置に記憶された前記データファイルの一部または全部を、前記通信接続ステップで通信接続された前記移動通信端末へ送信することを要求する送信要求を受け付ける要求受付ステップと、
前記通信接続ステップで通信接続された前記移動通信端末の個体識別情報である端末特定情報を取得し、取得した前記端末特定情報に基づいて当該移動通信端末の機種を特定する機種特定ステップと、
前記ストレージ装置に記憶された前記データファイルのうち、前記送信要求により要求された前記データファイルを、前記機種特定ステップで特定された前記機種が利用可能なデータ形式に変換する形式変換ステップと、
前記形式変換ステップで変換された前記データファイルを、当該移動通信端末に送信する送信ステップと、
を備えることを特徴とするデータ転送方法。
【請求項２１】
請求項２０に記載のデータ転送方法であって、
前記データファイルと、当該データファイルを利用可能な前記移動通信端末の機種を示す機種情報と、を対応付けて前記ストレージ装置に記憶させるデータファイル登録ステップと、
前記機種特定ステップで特定された前記機種が、前記送信要求により要求された前記データファイルに対応付けた前記機種情報に含まれるか否かを判定する機種判定ステップと、を備え、
前記機種判定ステップで、前記機種特定ステップで特定された前記機種が、前記送信要求により要求された前記データファイルに対応付けた前記機種情報に含まれると判定されたとき、
前記送信ステップでは、当該データファイルを前記ストレージ装置から取得し、取得した前記データファイルを前記移動通信端末に送信することを特徴とするデータ転送方法。
【請求項２２】
請求項２１に記載のデータ転送方法であって、
前記データファイル登録ステップでは、前記形式変換ステップで変換された前記データファイルと、当該データファイルを利用可能な前記移動通信端末の機種を示す前記機種情報と、を対応付けて前記ストレージ装置に記憶させることを特徴とするデータ転送方法。
【請求項２３】
請求項２１または２２に記載のデータ転送方法であって、
前記データファイル登録ステップでは、前記ストレージ装置に記憶させる前記データファイルに含まれる情報の一部または全部と、前記機種特定ステップで特定された前記機種と、に基づいて当該データファイルに対応する前記機種情報を得ることを特徴とするデータ転送方法。
【請求項２４】
請求項２１乃至２３いずれかに記載のデータ転送方法であって、
前記移動通信端末は携帯電話機であり、かつ前記端末特定情報は前記携帯電話機の製造番号であることを特徴とするデータ転送方法。
【請求項２５】
請求項２４に記載のデータ転送方法であって、
前記機種特定ステップでは、前記通信接続ステップで通信接続された前記携帯電話機の前記製造番号を取得し、取得した前記製造番号に含まれる情報のうち当該携帯電話機の機種を示す情報を読み取り、読み取った前記情報から当該機種を特定することを特徴とするデータ転送方法。
【請求項２６】
請求項２１乃至２４いずれかに記載のデータ転送方法であって、
前記データファイル登録ステップでは、前記データファイルと、当該データファイルの利用が許可されているユーザを示すユーザ情報と、を対応付けて前記ストレージ装置に記憶させ、
更に、前記通信接続ステップで通信接続した前記移動通信端末のユーザの固有情報であるユーザ固有情報を取得し、取得された前記ユーザ固有情報により特定される前記ユーザが、前記ストレージ装置に記憶されている前記ユーザ情報に含まれるか否かを判定するユーザ判定ステップを備え、
前記ユーザ判定ステップで、前記ユーザ固有情報により特定される前記ユーザが、前記ストレージ装置に記憶されている前記ユーザ情報に含まれると判定されたとき、
前記要求受付ステップでは、当該ユーザ情報に対応する前記データファイルを、当該移動通信端末へ送信することを要求する前記送信要求を受け付けることを特徴とするデータ転送方法。
【請求項２７】
請求項２６に記載のデータ転送方法であって、
前記データファイル登録ステップでは、前記ストレージ装置に内包され、前記ユーザ情報が対応づけられた複数のディレクトリのいずれかに前記データファイルを記憶させ、
更に、前記ユーザ判定ステップで、前記ユーザ固有情報により特定される前記ユーザが、前記ストレージ装置に記憶されている前記ユーザ情報に含まれると判定されたとき、当該ユーザ情報と対応付けられた前記ディレクトリに記憶された前記データファイルの一部または全部を示すディレクトリ情報を、前記通信接続ステップで接続された前記ストレージ装置から前記移動通信端末へ送信するデータファイル一覧送信ステップと、
当該移動通信端末が、前記データファイル一覧送信ステップで送信された前記ディレクトリ情報が示す前記データファイルのいずれかを選択し、選択した前記データファイルを当該移動通信端末へ送信することを要求する前記送信要求を送信する送信要求ステップと、を備え、
前記要求受付ステップでは、前記送信要求ステップで送信された前記送信要求を受け付けることを特徴とするデータ転送方法。
【請求項２８】
請求項２７に記載のデータ転送方法であって、
前記データファイル登録ステップでは、前記ディレクトリごとに単一または複数の前記ユーザ固有情報を対応付けて記憶させることを特徴とするデータ転送方法。
【請求項２９】
請求項２６乃至２８いずれかに記載のデータ転送方法であって、
前記ユーザ固有情報は、前記移動通信端末に装着されるＳＩＭ（Ｓｕｂｓｃｒｉｂｅｒ  Ｉｄｅｎｔｉｔｙ  Ｍｏｄｕｌｅ）カードの固有番号であり、
かつ前記ユーザ情報は、少なくとも一つの前記ＳＩＭカードの固有番号からなることを特徴とするデータ転送方法。
【請求項３０】
コンピュータが読み出し可能な記憶媒体に格納されたプログラムであって、
移動通信端末と通信接続する通信接続処理と、
ストレージ装置に記憶されたデータファイルの一部または全部を、前記通信接続処理で通信接続された前記移動通信端末へ送信することを要求する送信要求を受け付ける要求受付処理と、
前記通信接続処理で通信接続された前記移動通信端末の個体識別情報である端末特定情報を取得し、取得した前記端末特定情報に基づいて当該移動通信端末の機種を特定する機種特定処理と、
前記ストレージ装置に記憶された前記データファイルのうち、前記送信要求により要求された前記データファイルを、前記機種特定処理で特定された前記機種が利用可能なデータ形式に変換する形式変換処理と、
前記形式変換処理で変換された前記データファイルを、当該移動通信端末に送信する送信処理と、
を前記コンピュータに実行させることを特徴とするプログラム。
【発明の詳細な説明】
【技術分野】
【０００１】
本発明は、ストレージシステム、アクセス管理装置、データ転送方法およびプログラムに関する。
【背景技術】
【０００２】
近年、携帯電話機が急速に進んでおり、一人のユーザが複数の携帯電話機を保有することも珍しくない。また、ユーザが携帯電話事業者との契約を続けながら、異なる携帯電話機に変更する、いわゆる機種変更をする頻度も増えている。
【０００３】
このような背景に基づいて、外部ネットワークに設けられたストレージ装置にデータを保存し、保存したデータを複数の携帯電話機間（機種変更前の携帯電話機と機種変更後の携帯電話機との間）で共有できるサービスが考案されている。
【０００４】
しかしながら、例え同じメーカであっても、携帯電話機は機種ごとに利用可能なデータの形式が異なる場合が多々ある。従って、上記サービスを実現するために、複数の携帯電話機間で共有されるデータの形式を変換することがある。
【０００５】
この種の技術として、特許文献１（特開２００２−２９１０４５号公報）には以下のようなシステムが記載されている。このシステムにおいて、携帯電話機がストレージ装置（メモリ装置）に保存したデータを取得するとき、当該ストレージ装置を管理するデータ管理サーバが当該携帯電話機から電話番号を取得し、取得した電話番号から当該携帯電話機の機種を特定する。そして、データ管理サーバは、特定した機種に応じてデータを変換し、携帯電話機に当該データを送信する。
【０００６】
また、この種の技術として、特許文献２（特開２００３−３０９６６９号公報）には以下のようなシステムが記載されている。このシステムは、一の携帯電話機から送信されたデータを保存するストレージ装置（ストレージサーバ）を備える。そして、このシステムは、他の携帯電話機から当該データの送信要求を受け付けるとともに、ユーザが手入力した当該データの変更後のデータフォーマットまたは自機の機種名を受け付け、受け付けた情報に基づいて当該データを変換し、変換したデータを他の携帯電話機に送信する。
【先行技術文献】
【特許文献】
【０００７】
【特許文献１】特開２００２−２９１０４５号公報
【特許文献２】特開２００３−３０９６６９号公報
【発明の概要】
【発明が解決しようとする課題】
【０００８】
しかしながら上記技術は、以下の点で改善の余地を有していた。特許文献１に記載されているシステムは、携帯電話機の機種を特定するために、電話番号と携帯電話機の機種が対応付けられているデータベースが必要不可欠である。また、上記システムにおいては、携帯電話機の機種を変更するごとに上記データベースが更新されなくては、上記システムは機能しない。しかし、この更新が可能である事業者は実質的には携帯電話事業者に限られ、他の事業者が特許文献１に記載のシステムを構築するには制約が大きい。
【０００９】
また、特許文献２に記載されているシステムは、ユーザが変更後のデータフォーマットまたは携帯機器の機種名を手入力するので、携帯機器のユーザにとっては煩わしいシステムである。また、変更後のデータフォーマットを自動判別する手法は開示されているが、携帯機器の機種名を自動判別する手法は開示されていない。
【００１０】
本発明は上記事情に鑑みてなされたものであり、その目的とするところは、移動通信端末のユーザにかかる操作負担を軽減し、かつ当該移動通信端末に通信網を提供する通信事業者以外の事業者であっても構築可能なストレージシステム、ストレージ装置、データ転送方法およびプログラムを提供することにある。
【課題を解決するための手段】
【００１１】
本発明によれば、データファイルを記憶するデータファイル記憶手段と、移動通信端末と通信接続する通信接続手段と、前記データファイル記憶手段に記憶された前記データファイルの一部または全部を、前記通信接続手段によって通信接続された前記移動通信端末へ送信することを要求する送信要求を受け付ける要求受付手段と、前記通信接続手段によって通信接続された前記移動通信端末の個体識別情報である端末特定情報を取得し、取得した前記端末特定情報に基づいて当該移動通信端末の機種を特定する機種特定手段と、前記データファイル記憶手段に記憶された前記データファイルのうち、前記送信要求により要求された前記データファイルを、前記機種特定手段によって特定された前記機種が利用可能なデータ形式に変換する形式変換手段と、前記形式変換手段によって変換された前記データファイルを、当該移動通信端末に送信する送信手段と、を備えることを特徴とするストレージシステムが提供される。
【００１２】
また、本発明によれば、移動通信端末と通信接続する通信接続手段と、ストレージ装置に記憶されたデータファイルの一部または全部を、前記通信接続手段によって通信接続された前記移動通信端末へ送信することを要求する送信要求を、当該移動通信端末から受け付ける要求受付手段と、前記通信接続手段によって通信接続された前記移動通信端末の個体識別情報である端末特定情報を当該移動通信端末から取得し、取得した前記端末特定情報に基づいて当該移動通信端末の機種を特定する機種特定手段と、前記ストレージ装置に記憶された前記データファイルのうち、前記送信要求により要求された前記データファイルを前記ストレージ装置から取得し、取得した前記データファイルを前記機種特定手段によって特定された前記機種が利用可能なデータ形式に変換する形式変換手段と、前記形式変換手段によって変換された前記データファイルを、当該移動通信端末に送信する送信手段と、を備えることを特徴とするアクセス管理装置が提供される。
【００１３】
さらに、本発明によれば、移動通信端末と通信接続する通信接続ステップと、ストレージ装置に記憶された前記データファイルの一部または全部を、前記通信接続ステップで通信接続された前記移動通信端末へ送信することを要求する送信要求を受け付ける要求受付ステップと、前記通信接続ステップで通信接続された前記移動通信端末の個体識別情報である端末特定情報を取得し、取得した前記端末特定情報に基づいて当該移動通信端末の機種を特定する機種特定ステップと、前記ストレージ装置に記憶された前記データファイルのうち、前記送信要求により要求された前記データファイルを、前記機種特定ステップで特定された前記機種が利用可能なデータ形式に変換する形式変換ステップと、前記形式変換ステップで変換された前記データファイルを、当該移動通信端末に送信する送信ステップと、を備えることを特徴とするデータ転送方法が提供される。
【００１４】
さらに、本発明によれば、コンピュータが読み出し可能な記憶媒体に格納されたプログラムであって、移動通信端末と通信接続する通信接続処理と、ストレージ装置に記憶されたデータファイルの一部または全部を、前記通信接続処理で通信接続された前記移動通信端末へ送信することを要求する送信要求を受け付ける要求受付処理と、前記通信接続処理で通信接続された前記移動通信端末の個体識別情報である端末特定情報を取得し、取得した前記端末特定情報に基づいて当該移動通信端末の機種を特定する機種特定処理と、前記ストレージ装置に記憶された前記データファイルのうち、前記送信要求により要求された前記データファイルを、前記機種特定処理で特定された前記機種が利用可能なデータ形式に変換する形式変換処理と、前記形式変換処理で変換された前記データファイルを、当該移動通信端末に送信する送信処理と、を前記コンピュータに実行させることを特徴とするプログラムが提供される。
【発明の効果】
【００１５】
本発明によれば、移動通信端末のユーザにかかる操作負担を軽減し、かつ当該移動通信端末に通信網を提供する通信事業者以外の事業者であっても構築可能なストレージシステム、ストレージ装置、データ転送方法およびプログラムが提供される。
【図面の簡単な説明】
【００１６】
【図１】本発明の第１の実施形態に係るストレージシステムの構成図である。
【図２】本発明の第１の実施形態のデータファイル記憶部に記憶されたデータファイルの一例を示す図である。
【図３】本発明の第１の実施形態のストレージシステムに適用されるフローチャートである。
【図４】本発明の第２の実施形態に係るストレージシステムの構成図である。
【図５】ストレージ装置が有するディレクトリと、それぞれに対応付けられているユーザ情報とを表すテーブルの一部である。
【図６】ストレージ装置が有するディレクトリに記憶されているデータファイルの一部を表すテーブルである。
【図７】本発明の第２の実施形態のストレージシステムに適用されるフローチャートである。
【発明を実施するための形態】
【００１７】
以下、本発明の実施の形態について、図面を用いて説明する。尚、すべての図面において、同様な構成要素には同様の符号を付し、適宜説明を省略する。
【００１８】
〔第１の実施形態〕
図１は、本発明の第１の実施形態に係るストレージシステム１０００の構成図である。ストレージシステム１０００は、ストレージ装置１００と、移動通信端末２００と、移動通信端末３００と、を備え、それぞれがネットワーク４００を介して通信接続が可能である。
【００１９】
ここで、移動通信端末２００と移動通信端末３００とは、携帯電話機である。なお、本発明に用いる移動通信端末としては、携帯電話機の代わりにＰＤＡ（Ｐｅｒｓｏｎａｌ  Ｄｉｇｉｔａｌ  Ａｓｓｉｓｔａｎｔ）やＰＨＳ（Ｐｅｒｓｏｎａｌ  Ｈａｎｄｙ−ｐｈｏｎｅ  Ｓｙｓｔｅｍ）等であっても構わない。
【００２０】
ネットワーク４００は、携帯電話事業者が運営する携帯電話網を含む。さらに、ネットワーク４００は、インターネットやＬＡＮ等のネットワークシステムを含んでもよい。
【００２１】
ストレージ装置１００は、いわゆるネットワークストレージと呼ばれるファイルサーバである。ストレージ装置１００は、ネットワーク４００を介して接続可能な移動通信端末２００または移動通信端末３００に、自機内（データファイル記憶部１１１）に記憶されたデータファイルを送信することができる。また、ストレージ装置１００は、ネットワーク４００を介して接続可能な移動通信端末２００または移動通信端末３００から受信したデータファイルを、自機内（データファイル記憶部１１１）に記憶することができる。
【００２２】
次に、ストレージ装置１００に含まれる各種構成要素について説明する。ストレージ装置１００は、記憶部１１０と、データ処理部１２０と、通信接続部１３０と、を含む。
【００２３】
記憶部１１０は、データ処理部１２０が処理するプログラムやデータ等を記憶する。また、記憶部１１０の一部の記憶領域であるデータファイル記憶部１１１は、データファイルを記憶する。ここで、データファイル記憶部１１１に記憶されるデータファイルは特に制限されないが、一部の機種で利用可能なデータ形式のデータファイルをデータファイル記憶部１１１に記憶させることが本発明には好適である。なお、データファイル記憶部１１１に記憶されるデータファイルは、移動通信端末２００または移動通信端末３００から受信したデータファイルであってもよいし、図１には図示されない他の装置から受信したデータファイルであってもよい。
【００２４】
図２は、本実施形態のデータファイル記憶部１１１に記憶されたデータファイルの一例を示す図である。Ｎｏ．１のデータファイルは携帯電話機の電子メールである。携帯電話機の電子メールは、機種ごとに本文の情報とその他の情報（ヘッダ情報等）の記述方法が異なる場合がある。また、携帯電話事業者が異なる場合、携帯電話機の電子メールはファイル構成が異なる場合もある。よって、電子メールのデータファイルを他の機種に転送する場合には、データ形式の変更が必要となる場合が多い。また、Ｎｏ．２のデータファイルは画像データである。携帯電話機は、機種ごとにディスプレイの解像度や表示可能な色調の制限が異なるため、画像データのデータファイルは他の機種に転送する場合に、データ形式の変更が必要となる場合がある。また、Ｎｏ．３のデータファイルは電話帳機能で用いるデータファイル、Ｎｏ．４のデータファイルはスケジュール機能で用いるデータファイルである。電話帳機能やスケジュール機能のデータファイルのデータ形式は、当該データファイルを読み込むアプリケーションソフトの仕様に依存するため機種ごとに異なる。
【００２５】
なお、図２に記載しているデータファイルの拡張子は一例であり、これに限定される必要はない。
【００２６】
通信接続部１３０は、移動通信端末２００または移動通信端末３００とネットワーク４００を介して通信接続する。また、通信接続部１３０は、ネットワーク４００を介して受信したデータをデータ処理部１２０に入力したり、データ処理部１２０から出力されたデータをネットワーク４００を介して送信したりする。なお、通信接続部１３０は、データ処理部１２０に制御されて移動通信端末と通信接続してもよいし、自律的に移動通信端末と通信接続してもよい。
【００２７】
データ処理部１２０は、要求受付部１２１と、機種特定部１２２と、形式変換部１２３と、送信部１２４と、を有する。
【００２８】
要求受付部１２１は、データファイル記憶部１１１に記憶されたデータファイルの一部または全部を、通信接続部１３０によって通信接続された移動通信端末へ送信することを要求する送信要求を受け付ける。本実施形態において、要求受付部１２１は、通信接続部１３０によって通信接続された移動通信端末から送信された送信要求を受け付けてもよいし、図１に図示しない他の装置から送信された送信要求を受け付けてもよい。
【００２９】
ここで、送信要求は、通信接続部１３０によって通信接続された移動通信端末によって生成されてもよい。このとき送信要求は、移動通信端末が受け付けたユーザの操作入力に応じて生成されてもよいし、移動通信端末で起動したアプリケーションソフトによって生成されてもよい。
【００３０】
機種特定部１２２は、通信接続部１３０によって通信接続された移動通信端末の個体識別情報である端末特定情報を取得し、取得した端末特定情報に基づいて当該移動通信端末の機種を特定する。ここで、端末特定情報は、通信接続部１３０によって通信接続された移動通信端末から取得してもよいし、図１に図示しない他の装置から取得してもよい。
【００３１】
なお、本実施形態において端末特定情報は携帯電話機の製造番号である。ここで、製造番号とは、出荷された携帯電話機に付けられ、携帯電話機ごとに割り当てられた番号であり、シリアル番号と呼ばれることもある。また、製造番号は、数字に限らず他の文字（例えば英字、かな文字等）を含んでもよい。
【００３２】
機種特定部１２２が、取得した製造番号から携帯電話機の機種を特定する手法は様々考えられる。一般的に、携帯電話機の製造番号は、その一部の文字で当該携帯電話機の機種を示している。このような場合、機種特定部１２２は、通信接続された携帯電話機の製造番号を取得し、取得した製造番号に含まれる文字のうち当該携帯電話機の機種を示す文字を読み取り、読み取った文字から当該機種を特定してもよい。仮に、携帯電話機の製造番号に当該携帯電話機の機種を示す文字が含まれていない場合でも、当該携帯電話機が通信接続可能な携帯電話網を提供する携帯電話事業者と、当該携帯電話機の製造会社は特定できるようになっている。この場合、機種特定部１２２は、製造会社ごとに、当該製造会社における製造番号の振り方を記憶しておき、取得した製造番号から製造会社を特定し、特定した製造会社における製造番号の振り方に従って、対象の携帯電話機の機種を特定してもよい。または、機種特定部１２２は、携帯電話機の製造番号と携帯電話機の機種とを対応付けたデータベースを有し、取得した製造番号をデータベースから検索し、検索された製造番号に対応付けた携帯電話機の機種を対象の携帯電話機の機種として特定してもよい。
【００３３】
形式変換部１２３は、データファイル記憶部１１１に記憶されたデータファイルのうち、送信要求により要求されたデータファイルを、機種特定部１２２によって特定された機種が利用可能なデータ形式に変換する。ここで、データファイルのデータ形式変換とは、データファイルの拡張子を変更することであってもよいし、複数のデータファイルを併合することであってもよいし、単一のデータファイルを分割することであってもよいし、機種特定部１２２によって特定された機種での利用に必要なコマンドや情報を対象のデータファイルに付加することであってもよい。また、データファイルのデータ形式変換とは、以上に列挙した方法を複数組み合わせた方法であってもよい。
【００３４】
送信部１２４は、形式変換部１２３によって変換されたデータファイルを、当該移動通信端末（送信要求により指定された移動通信端末）に送信する。より詳細には、送信部１２４は変換されたデータファイルを通信接続部１３０に出力し、通信接続部１３０に当該データファイルを送信させる、または通信接続部１３０に当該データファイルの送信を要求する。
【００３５】
上述したデータ処理部１２０に内包される構成の全部または一部は、ハードウェアで実現されてもよいし、あるいは、プロセッサに処理を実行させるプログラム（またはプログラムコード）で実現されてもよい。プロセッサは、不揮発性メモリなどの記録媒体からそのプログラムを読み出し実行する。
【００３６】
データ処理部１２０に内包される構成がプログラムによって実施される場合、当該プログラムはプロセッサ（コンピュータ）が読み出し可能な記憶媒体に格納される。そして、当該プログラムは、移動通信端末２００または移動通信端末３００と通信接続する通信接続処理を、プロセッサに実行させる。また、当該プログラムは、ストレージ装置１００に記憶されたデータファイルの一部または全部を、通信接続処理で通信接続された移動通信端末へ送信することを要求する送信要求を受け付ける要求受付処理を、プロセッサに実行させる。そして、当該プログラムは、通信接続処理によって通信接続された移動通信端末の個体識別情報である端末特定情報を取得し、取得した端末特定情報に基づいて当該移動通信端末の機種を特定する機種特定処理を、プロセッサに実行させる。続いて、当該プログラムは、ストレージ装置１００に記憶されたデータファイルのうち、送信要求により要求されたデータファイルを、機種特定処理で特定された機種が利用可能なデータ形式に変換する形式変換処理を、プロセッサに実行させる。さらに、当該プログラムは、形式変換処理で変換されたデータファイルを、当該移動通信端末に送信する送信処理をプロセッサに実行させる。
【００３７】
図３は、本実施形態のストレージシステム１０００に適用されるフローチャートである。まず、ストレージ装置１００は、移動通信端末２００または移動通信端末３００と通信接続する（ステップＳ１）。そして、ストレージ装置１００は、ストレージ装置１００に記憶されたデータファイルの一部または全部を、ステップＳ１で通信接続された移動通信端末へ送信することを要求する送信要求を受け付ける（ステップＳ２）。次に、ストレージ装置１００は、ステップＳ１で通信接続された移動通信端末の個体識別情報である端末特定情報を取得し、取得した端末特定情報に基づいて当該移動通信端末の機種を特定する（ステップＳ３）。そして、ストレージ装置１００は、ストレージ装置１００に記憶されたデータファイルのうち、送信要求により要求されたデータファイルを、ステップＳ３で特定された機種が利用可能なデータ形式に変換する（ステップＳ４）。さらに、ストレージ装置１００は、ステップＳ４で変換されたデータファイルを、当該移動通信端末に送信する（ステップＳ５）。
【００３８】
ステップＳ１で通信接続された移動通信端末において、ストレージ装置１００との通信を終了するとき（ステップＳ６のＹＥＳ）、当該移動通信端末とアクセス管理装置５００との間の通信接続を切断し（ステップＳ７）、このフローチャートは終了となる。
【００３９】
ステップＳ１で通信接続された移動通信端末において、ストレージ装置１００との通信を終了しないとき（ステップＳ６のＮＯ）、再びステップＳ２に移行して処理を繰り返す。
【００４０】
ここで、本実施形態の効果について説明する。本実施形態は、ストレージ装置１００に記憶されたデータファイルを、通信接続された移動通信端末の機種に応じて変換して送信する。よって、仮に移動通信端末２００の機種と移動通信端末３００の機種とが異なったとしても、双方でデータファイルを共有することができる。
【００４１】
また、本実施形態は、携帯電話機の製造番号（端末特定情報）に基づいて当該移動通信端末の機種を特定し、特定した機種に応じてデータファイルを変換して送信する。携帯電話機の製造番号は一般的に公開可能な情報であり、かつ携帯電話機の製造番号から当該携帯電話機の機種を特定することは携帯電話事業者以外の事業者であっても可能である。従って、本実施形態のストレージシステム１０００は、携帯電話事業者（移動通信端末に通信網を提供する通信事業者）以外の事業者であっても構築可能である。
【００４２】
さらに、本実施形態は、端末特定情報として携帯電話機の製造番号を用いるので、仮に移動通信端末から携帯電話機の製造番号を取得するときであっても、一般的に携帯電話機は製造番号を自機内に記憶しているので、移動通信端末のユーザが手入力する煩わしさがない。
【００４３】
さらに、本実施形態は、端末特定情報として携帯電話機の製造番号を用いるので、仮に二つの異なる移動通信端末にＳＩＭをカード差し替えて使用する場合であっても、本実施形態のストレージシステムは適用可能である。
【００４４】
〔第２の実施形態〕
図４は、本発明の第２の実施形態に係るストレージシステム２０００の構成図である。ストレージシステム２０００は、移動通信端末２００と、移動通信端末３００と、アクセス管理装置５００と、ストレージ装置６００と、を備え、それぞれがネットワーク４００を介して通信接続が可能である。
【００４５】
本実施形態における移動通信端末２００または移動通信端末３００は、第１の実施形態と同様の携帯電話機として説明する。また、移動通信端末２００または移動通信端末３００は、携帯電話機の代わりにＰＤＡやＰＨＳ等であっても構わない。
【００４６】
ネットワーク４００も、第１の実施形態と同様に、携帯電話事業者が運営する携帯電話網を含み、インターネットやＬＡＮ等のネットワークシステムを更に含んでもよい。
【００４７】
ストレージ装置６００は、いわゆるネットワークストレージと呼ばれるファイルサーバである。ストレージ装置６００は、アクセス管理装置５００を中継して移動通信端末２００または移動通信端末３００と通信接続可能であり、この通信接続はアクセス管理装置５００によって管理される。
【００４８】
ストレージ装置６００（データファイル記憶部６１１）は、ストレージ装置６００が有する記憶部６１０の一部の記憶領域である。図４において、ストレージ装置６００は記憶部６１０とストレージ装置６００（データファイル記憶部６１１）とを含むことが図示されているが、その他の構成要素、例えばプロセッサやネットワーク４００と通信接続するインターフェース回路等を更に含んでいる。
【００４９】
ストレージ装置６００（データファイル記憶部６１１）は、ユーザ情報が対応づけられた複数のディレクトリのいずれかにデータファイルを記憶する。各ディレクトリには、当該ディレクトリの中にデータファイルを利用が許可されているユーザを示すユーザ情報が割り当てられている。これにより、ストレージ装置６００（データファイル記憶部６１１）は、データファイルとユーザ情報とを対応付けて記憶することができる。なお、ユーザ情報は、移動通信端末のユーザの固有情報であればいずれでもよいが、ここでは移動通信端末（携帯電話機）に装着されるＳＩＭ（Ｓｕｂｓｃｒｉｂｅｒ  Ｉｄｅｎｔｉｔｙ  Ｍｏｄｕｌｅ）カードの固有番号を用いる。具体的には、ユーザ情報は、一つまたは複数のＳＩＭカードの固有番号である。また、複数のＳＩＭカードの固有番号とデータファイルとを対応付けてストレージ装置６００に記憶させるには、アクセス管理装置５００がデータファイルをストレージ装置６００に記憶させる際に、データファイルの提供元から複数の固有番号を取得し、取得した固有番号とデータファイルとを対応づけてもよい。もしくは、アクセス管理装置５００は、当該提供元からその他のユーザを特定する情報、例えば氏名や電話番号を取得し、取得した氏名や電話番号に基づいて携帯電話事業者に対象の携帯電話機のＳＩＭカードの固有番号を取得し、取得した固有番号をデータファイルと対応付けてストレージ装置６００に記憶させてもよい。
【００５０】
上記ＳＩＭカードは、ＵＩＭカード（Ｕｓｅｒ  Ｉｄｅｎｔｉｔｙ  Ｍｏｄｕｌｅ  Ｃａｒｄ）やＵＳＩＭカード（Ｕｎｉｖｅｒｓａｌ  Ｓｕｂｓｃｒｉｂｅｒ  Ｉｄｅｎｔｉｔｙ  Ｍｏｄｕｌｅ  Ｃａｒｄ）のことも含む。
【００５１】
図５は、ストレージ装置６００（データファイル記憶部６１１）が有するディレクトリと、それぞれに対応付けられているユーザ情報とを表すテーブルの一部である。ストレージ装置６００（データファイル記憶部６１１）は、ディレクトリごとに単一または複数のユーザ固有情報を対応付けて記憶している。例えば、ディレクトリＡには、移動通信端末２００に装着されたＳＩＭカードの固有番号「ｘｘｘｘｘｘｘｘｘｘｘｘｘｘｘｘ」が割り当てられている。また、ディレクトリＣには、移動通信端末３００に装着されたＳＩＭカードの固有番号「ｙｙｙｙｙｙｙｙｙｙｙｙｙｙｙｙ」が割り当てられている。さらに、ディレクトリＢには、移動通信端末２００および移動通信端末３００それぞれのＳＩＭカードの固有番号が割り当てられている。すなわち、移動通信端末２００から利用可能なデータファイルは、ディレクトリＡとディレクトリＢに記憶されており、移動通信端末３００から利用可能なデータファイルは、ディレクトリＢとディレクトリＣに記憶されている。なお、図５に記載されているＳＩＭカードの固有番号の桁数は適宜変更可能である。
【００５２】
図６は、ストレージ装置６００（データファイル記憶部６１１）が有するディレクトリに記憶されているデータファイルの一部を表すテーブルである。データファイルは、それぞれに当該データファイルを利用可能な移動通信端末の機種を示す機種情報が対応付けられている。
【００５３】
アクセス管理装置５００は、記憶部５１０と、データ処理部５２０と、通信接続部５３０と、を含む。記憶部５１０は、データ処理部５２０で処理されるデータやプログラムを記憶する。通信接続部５３０は、移動通信端末２００または移動通信端末３００と、ネットワーク４００を介して通信接続することができる。
【００５４】
データ処理部５２０は、ユーザ判定部５２１、データファイル一覧送信部５２２、要求受付部５２３、機種特定部５２４、機種判定部５２５、形式変換部５２６、データファイル登録部５２７、送信部５２８を含む。以下、データ処理部５２０に含まれる各構成要素について説明する。
【００５５】
ユーザ判定部５２１は、通信接続部５３０によって通信接続された移動通信端末のユーザの固有情報であるユーザ固有情報を取得し、取得されたユーザ固有情報によって特定されるユーザが、ストレージ装置６００（データファイル記憶部６１１）に記憶されているユーザ情報に含まれるか否かを判定する。ここで、ユーザ固有情報は、移動通信端末に装着されるＳＩＭカードの固有番号である。
【００５６】
データファイル一覧送信部５２２は、ユーザ判定部５２１によって、ユーザ固有情報により特定されるユーザが、ストレージ装置６００（データファイル記憶部６１１）に記憶されているユーザ情報に含まれると判定されたとき、当該ユーザ情報と対応付けられたディレクトリに記憶されたデータファイルの一部または全部を示すディレクトリ情報を、通信接続部５３０によって接続された移動通信端末へ送信する。
【００５７】
要求受付部５２３は、ストレージ装置６００（データファイル記憶部６１１）に記憶されたデータファイルの一部または全部を、通信接続部５３０によって通信接続された移動通信端末へ送信することを要求する送信要求を、当該移動通信端末から受け付ける。より詳細には、要求受付部５２３は、ユーザ判定部５２１によってユーザ固有情報のユーザを含むと判定されたユーザ情報に対応するデータファイル（ディレクトリ情報が示すデータファイル）のうち、当該移動通信端末によって選択されたデータファイルを当該移動通信端末へ送信することを要求する送信要求を受け付ける。
【００５８】
ここで、移動通信端末によってデータファイルを選択するとは、当該移動通信端末が受け付けたユーザの操作に応じて選択してもよいし、当該移動通信端末で実行されているアプリケーションソフトによって選択されてもよい。
【００５９】
機種特定部５２４は、通信接続部５３０によって通信接続された移動通信端末の個体識別情報である端末特定情報を当該移動通信端末から取得し、取得した端末特定情報に基づいて当該移動通信端末の機種を特定する。ここで、端末特定情報は、移動通信端末（携帯電話機）の製造番号である。また、機種特定部５２４が移動通信端末の機種を特定する方法については、第１の実施形態の機種特定部１２２で説明した方法のいずれを用いてもよい。例えば、機種特定部５２４は、通信接続部５３０によって通信接続された携帯電話機の製造番号を取得し、取得した製造番号に含まれる情報のうち当該携帯電話機の機種を示す情報を読み取り、読み取った情報から当該機種を特定してもよい。
【００６０】
機種判定部５２５は、機種特定部５２４によって特定された機種が、送信要求により要求されたデータファイルに対応付けた機種情報に含まれるか否かを判定する。
【００６１】
形式変換部５２６は、機種判定部５２５によって、機種特定部５２４によって特定された機種が、送信要求により要求されたデータファイルに対応付けた機種情報に含まれないと判定されたとき、以下の処理を実行する。形式変換部５２６は、ストレージ装置６００（データファイル記憶部６１１）に記憶されたデータファイルのうち、送信要求により要求されたデータファイルをストレージ装置６００から取得し、取得したデータファイルを機種特定部５２４によって特定された機種が利用可能なデータ形式に変換する。
【００６２】
データファイル登録部５２７は、受け付けたデータファイルをストレージ装置６００（データファイル記憶部６１１）に記憶させる。本実施形態においては、データファイル登録部５２７は、データファイルにユーザ情報と機種情報とを対応付けてストレージ装置６００に記憶させる。特に、データファイル登録部５２７は、形式変換部５２６によって変換されたデータファイルを受け付けたとき、当該データファイルに機種情報を対応付けてストレージ装置６００に記憶させる。更に、データファイル登録部５２７は、ディレクトリごとに単一または複数のユーザ固有情報を対応付けてストレージ装置６００に記憶させる。
【００６３】
送信部５２８は、機種判定部５２５の判定に応じてデータファイルを、通信接続部５３０によって通信接続した移動通信端末に送信する。より詳細には、機種判定部５２５によって、機種特定部５２４によって特定された機種が、送信要求により要求されたデータファイルに対応付けた機種情報に含まれないと判定された場合、送信部５２８は、形式変換部５２６によって変換されたデータファイルを当該移動通信端末に送信する。また、機種判定部５２５によって、機種特定部５２４によって特定された機種が、送信要求により要求されたデータファイルに対応付けた機種情報に含まれると判定された場合、送信部５２８は、当該データファイルをストレージ装置６００から取得し、取得したデータファイルを当該移動通信端末に送信する。
【００６４】
図７は、本実施形態のストレージシステム２０００に適用されるフローチャートである。図７を用いてストレージシステム２０００における処理の流れを説明する。
【００６５】
まず、アクセス管理装置５００は、移動通信端末２００または移動通信端末３００と通信接続する（ステップＴ１）。このとき、アクセス管理装置５００と通信接続する移動通信端末は、通信接続を確立するために自機の製造番号（端末特定情報）と、自機が装着しているＳＩＭカードの固有番号（ユーザ固有情報）と、をアクセス管理装置５００に送信する。
【００６６】
次に、アクセス管理装置５００は、ステップＴ１で送信されたＳＩＭカードの固有番号を取得し、取得されたＳＩＭカードの固有番号により特定されるにより特定されるユーザが、ストレージ装置６００に記憶されているユーザ情報に含まれるか否かを判定する（ステップＴ２）。
【００６７】
ステップＴ２で、ＳＩＭカードの固有番号により特定されるユーザが、ストレージ装置６００に記憶されているユーザ情報に含まれると判定されたとき（ステップＴ３のＹＥＳ）、アクセス管理装置５００は、ステップＴ１で送信された製造番号を取得し、取得した製造番号に基づいて当該移動通信端末の機種を特定する（ステップＴ４）。
【００６８】
ステップＴ２で、ＳＩＭカードの固有番号により特定されるユーザが、ストレージ装置６００に記憶されているユーザ情報に含まれないと判定されたとき（ステップＴ３のＮＯ）、ステップＴ１で通信接続された移動通信端末とアクセス管理装置５００との間の通信接続を切断し（ステップＴ１９）、このフローチャートは終了となる。
【００６９】
そして、ステップＴ２の判定に用いたＳＩＭカードの固有番号を含むユーザ情報と対応付けられたディレクトリに記憶されたデータファイルの一部または全部を示すディレクトリ情報を、ステップＴ１で接続された移動通信端末へ送信する（ステップＴ５）。
【００７０】
ステップＴ５で送信されたディレクトリ情報を受信した移動通信端末が、当該ディレクトリ情報に係るディレクトリに、新たなデータファイルの登録を要求するとき（ステップＴ６のＹＥＳ）、当該移動通信端末はデータファイルと、当該データファイルの登録要求を送信し（ステップＴ７）、アクセス管理装置５００は、ステップＴ７で送信された当該データファイルと当該登録要求とを受け付ける（ステップＴ８）。そして、ステップＴ８で受け付けたデータファイルと機種情報とを対応付け、ステップＴ５で送信したディレクトリ情報に係るディレクトリに記憶させる（ステップＴ９）。
【００７１】
なお、ステップＴ９でディレクトリ（ストレージ装置６００）に記憶させるデータファイルに対応付ける機種情報は、当該データファイルに含まれる情報の一部（例えば、データファイルの拡張子やヘッダ情報等）または全部と、ステップＴ４で特定された移動通信端末の機種と、に基づいて求められてもよい。より具体的には、例えばデータファイルが携帯電話機の電子メールである場合、当該データファイルの拡張子からデータファイルの種別が「携帯電話機の電子メール」であることを判別し、「携帯電話機の電子メール」についてステップＴ４で特定された機種と互換性のある機種を示す機種情報を当該データファイルに対応づけてもよい。ここで、アクセス管理装置５００は、互換性のある機種を検索するためのデータベースを有してもよいし、また外部のデータベースを利用して互換性のある機種を検索してもよい。
【００７２】
ステップＴ５で送信されたディレクトリ情報を受信した移動通信端末が、当該ディレクトリ情報に係るディレクトリに、新たなデータファイルの登録を要求しないとき（ステップＴ６のＮＯ）、ステップＴ７〜ステップＴ９の処理を実行せずに、ステップＴ１０に移行する。
【００７３】
ステップＴ５で送信されたディレクトリ情報を受信した移動通信端末が、当該ディレクトリ情報が示すデータファイルのいずれかを選択し、選択したデータファイルを当該移動通信端末へ送信することを要求するとき（ステップＴ１０のＹＥＳ）、当該移動通信端末は、その送信要求を送信し（ステップＴ１１）、アクセス管理装置５００は、ステップＴ１２で送信された送信要求を受け付ける（ステップＴ１２）。
【００７４】
続いて、ステップＴ４で特定された機種が、送信要求により要求されたデータファイルに対応付けた機種情報に含まれるか否かを判定する（ステップＴ１３）。ステップＴ１３で、ステップＴ４で特定された機種が、送信要求により要求されたデータファイルに対応付けた機種情報に含まれると判定されたとき（ステップＴ１４のＹＥＳ）、当該データファイルをストレージ装置６００から取得し、取得したデータファイルをステップＴ１で通信接続された移動通信端末に送信する（ステップＴ１７）。
【００７５】
また、ステップＴ１３で、ステップＴ４で特定された機種が、送信要求により要求されたデータファイルに対応付けた機種情報に含まれると判定されたとき（ステップＴ１４のＹＥＳ）、送信要求により要求されたデータファイルを、ステップＴ４で特定された機種が利用可能なデータ形式に変換する（ステップＴ１５）。ステップＴ１５で変換されたデータファイルと、当該データファイルを利用可能な移動通信端末の機種を示す機種情報と、を対応付けてストレージ装置６００に記憶させるとともに（ステップＴ１６）、当該データファイルをステップＴ１で通信接続された移動通信端末に送信する（ステップＴ１７）。
【００７６】
ステップＴ５で送信されたディレクトリ情報を受信した移動通信端末が、当該ディレクトリ情報が示すデータファイルのいずれかを選択し、選択したデータファイルを当該移動通信端末へ送信することを要求しないとき（ステップＴ１０のＮＯ）、ステップＴ１１〜ステップＴ１７の処理を実行せずに、ステップＴ１８に移行する。
【００７７】
ステップＴ１で通信接続された移動通信端末において、アクセス管理装置５００との通信を終了するとき（ステップＴ１８のＹＥＳ）、当該移動通信端末とアクセス管理装置５００との間の通信接続を切断し（ステップＴ１９）、このフローチャートは終了となる。
【００７８】
ステップＴ１で通信接続された移動通信端末において、アクセス管理装置５００との通信を終了しないとき（ステップＴ１８のＮＯ）、再びステップＴ６に移行して処理を繰り返す。
【００７９】
ここで、本実施形態の効果について説明する。本実施形態は、アクセス管理装置５００を備えることによって、移動通信端末２００または移動通信端末３００からストレージ装置６００へのアクセスを管理することができる。
【００８０】
また、本実施形態は、ストレージ装置６００に記憶させたデータファイルに対応づけた機種情報に、機種特定部５２４によって特定された機種が含まれるとき、当該データファイルを取得し、移動通信端末に送信するので、無用なデータファイルの変換を省くことができる。
【００８１】
さらに、本実施形態は、形式変換部５２６によって変換されたデータファイルに、機種情報を対応づけて、ユーザ情報が割り当てられたディレクトリに記憶するので、次回以降同じ機種で当該データファイルを要求するときは、データファイルの変換をせずに、移動通信端末に当該データファイルを提供することができる。
【００８２】
さらに、本実施形態は、移動通信端末のユーザのユーザ固有情報（ＳＩＭカードの固有番号）を取得し、当該ユーザが利用可能なデータファイルを当該移動通信端末に提供するので、利用を許可していない他のユーザに対してデータファイルを秘匿することができる。
【００８３】
さらに、本実施形態は、単一のディレクトリに複数のユーザを対応づけることができるので、同一のディレクトリに記憶されたデータファイルを複数のユーザで共有することができる。
【００８４】
さらに、本実施形態は、ユーザ固有情報としてＳＩＭカードの固有番号を用いるので、移動通信端末からユーザ固有情報を取得するとき、一般的に携帯電話機が装着しているＳＩＭカードに固有番号は記憶されているので、移動通信端末のユーザが手入力する煩わしさがない。
【００８５】
以上、図面を参照して本発明の実施形態について述べたが、これらは本発明の例示であり、上記以外の様々な構成を採用することもできる。
【００８６】
上記の実施形態では、複数の移動通信端末（携帯電話機）でデータファイルを共有することを目的に説明したが、本発明は、機種変更前の携帯電話機と機種変更後の携帯電話機とでデータファイルを共有する（転送する）ことを目的に使用してもよい。
【００８７】
第２の実施形態において、データファイルは、記憶されているディレクトリ単位でユーザ情報を割り当てられることを説明したが、データファイルごとにユーザ情報を割り当ててもよい。
【００８８】
第２の実施形態において、アクセス管理装置５００とストレージ装置６００とは、異なる装置として説明したが、双方を一体化した装置であってもよい。また、アクセス管理装置５００とストレージ装置６００とは、ネットワーク４００を介して接続可能なように説明したが、直接接続してもよい。
【００８９】
さらに、本実施の形態ではデータ処理部１２０、５２０の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【００９０】
なお、当然ながら、上述した実施の形態および複数の変形例は、その内容が相反しない範囲で組み合わせることができる。また、上述した実施の形態および変形例では、各構成要素の機能などを具体的に説明したが、その機能などは本願発明を満足する範囲で各種に変更することができる。
【００９１】
また、本発明のデータ転送方法には複数のステップを順番に記載してあるが、その記載の順番は複数のステップを実行する順番を限定するものではない。このため、本発明のデータ転送方法を実行するときには、その複数のステップの順番は内容的に支障しない範囲で変更することができる。
【符号の説明】
【００９２】
１０００  ストレージシステム
２０００  ストレージシステム
１００  ストレージ装置
１１０  記憶部
１１１  データファイル記憶部
１２０  データ処理部
１２１  要求受付部
１２２  機種特定部
１２３  形式変換部
１２４  送信部
１３０  通信接続部
２００  移動通信端末
３００  移動通信端末
４００  ネットワーク
５００  アクセス管理装置
５１０  記憶部
５２０  データ処理部
５２１  ユーザ判定部
５２２  データファイル一覧送信部
５２３  要求受付部
５２４  機種特定部
５２５  機種判定部
５２６  形式変換部
５２７  データファイル登録部
５２８  送信部
５３０  通信接続部
６００  ストレージ装置
６１０  記憶部
６１１  データファイル記憶部
【図１】
2011035811.tif 000003
【図２】
2011035811.tif 000004
【図３】
2011035811.tif 000005
【図４】
2011035811.tif 000006
【図５】
2011035811.tif 000007
【図６】
2011035811.tif 000008
【図７】
2011035811.tif 000009